(57)【要約】  【課題】  シンプルな構成で手前側の必要スペースを極力増やさず，収容ケースの奥部への出し入れが容易とすること。  【解決手段】  収容室３内に上下複数段に収容ケース１０を備え，収容室内の両側面に奥行き方向に伸びて突設され収容ケース１０を奥行き方向に案内しつつ支持する本体レール部２０と，収容ケース１０の両側面各々の奥側に突設され本体レール部２０の上面，下面各々に当接する上面当接突設部４１，下面当接突設部５１と，本体レール部２０の手前側端部付近の上面，下面各々に手前下方，手前上方に向けて傾斜して形成され上面当接突設部４１，下面当接突設部５１各々を摺動させる上面傾斜部２５及び下面傾斜部２６と，その各々の手前側に設けられ上面当接突設部４１及び下面当接突設部５１各々を係止して収容ケース１０を手前傾斜状態で保持する上面係止保持部２３及び下面係止保持部２４とを具備する。【選択図】図５
2007046807.tif 000002
【特許請求の範囲】
【請求項１】
被冷却物の収容室内に手前側へ引き出し可能な収容器を備えた冷蔵庫であって，
前記収容器を所定の基準の姿勢のまま奥行き方向に案内しつつ支持する引き出し機構と，
前記引き出し機構により支持された前記収容器が所定の停止位置まで引き出された際に該収容器を前記基準の姿勢よりも手前下方に傾けた手前傾斜状態で保持する傾斜保持機構と，
を具備してなることを特徴とする冷蔵庫。
【請求項２】
前記引き出し機構により支持された前記収容器が引き出された際に前記停止位置に至る前の所定位置で該収容器の引き出し方向への動きを規制するとともに所定操作により該規制が解除される引き出し規制機構を具備してなる請求項１に記載の冷蔵庫。
【請求項３】
前記引き出し機構が，
前記収容室内側の両側面各々に奥行き方向に伸びて突設され前記収容器を奥行き方向に案内しつつ支持するレール部と，
前記収容器外側の両側面各々の奥側の所定位置に突設され前記レール部に支持される部分であって，前記レール部の上面に当接する上面当接突設部と該上面当接突設部から奥側に間隔を隔てて突設され前記レール部の下面に当接する下面当接突設部とを有する収容器突設部と，
を具備してなる請求項１又は２のいずれかに記載の冷蔵庫。
【請求項４】
前記傾斜保持機構が，
前記レール部の手前側端部付近の上面に手前下方に向けて傾斜して形成され前記収容器の前記上面当接突設部を摺動させる上面傾斜部及び／若しくは前記レール部における手前側端部付近から前記収容器の前記上面当接突設部及び前記下面当接突設部の奥行き方向の間隔分だけ奥側の位置の下面に手前上方に向けて傾斜して形成され前記収容器の前記下面当接突設部を摺動させる下面傾斜部と，
前記レール部の一部に形成され，引き出された前記収容器が，前記上面傾斜部に対して前記上面当接突設部に摺動すること及び／若しくは前記下面傾斜部に対して前記下面当接突設部が摺動することにより前記手前傾斜状態となった状態で，前記上面当接突設部及び前記下面当接突設部の一方若しくは両方を係止することにより前記収容器を前記手前傾斜状態で保持する係止保持部と，
を具備してなる請求項３に記載の冷蔵庫。
【請求項５】
前記引き出し機構が，
前記収容室内側の両側面各々に奥行き方向に伸びて突設され前記収容器を奥行き方向に案内しつつ支持するレール部と，
前記収容器外側の両側面各々の奥側の所定位置に突設され前記レール部に支持される部分であって，前記レール部の上面に当接する部分及び前記レール部の下面に当接する下面当接突設部と，を有して構成され，
前記傾斜保持機構が，
前記レール部に設けられ前記収容器の前記下面当接突設部を係止して該収容器を前記手前傾斜状態で保持する下面係止保持部と，
前記下面係止保持部よりも手前側において前記収容室内側の両側面各々に突設され前記収容器の一部に形成された所定の被支持部を支えることにより該収容器を前記手前傾斜状態で保持する傾斜収容器支持部と，を有するとともに，
当該冷蔵庫を側面側から見た場合に，前記傾斜収容器支持部における前記被支持部に対する接触部から該接触部の表面に加わる前記収容器の荷重による押圧力の方向に対して直角の方向に伸ばした直線よりも前記下面係止保持部による前記下面当接突設部の係止位置が上側となるよう構成されてなる請求項１又は２のいずれかに記載の冷蔵庫。
【請求項６】
前記レール部の上面に当接する部分に上面当接突設部を設け，
前記傾斜収容器支持部が，前記手前傾斜状態にある前記収容器における前記上面当接突設部の位置よりも手前側に設けられてなる請求項５に記載の冷蔵庫。
【請求項７】
前記レール部における前記下面係止保持部の奥側の下面に，前記手前傾斜状態にある前記収容器における前記下面当接突設部の奥側上方への動きを規制する曲面部が形成されてなる請求項４〜６のいずれかに記載の冷蔵庫。
【請求項８】
前記引き出し機構において，前記レール部が前記収容室内側の両側面各々において前記収容器１つに対して一段に形成され，該一段の前記レール部における上面及び下面の各々に前記収容器の前記上面当接部及び前記下面当接部各々が当接してなる請求項３〜７のいずれかに記載の冷蔵庫。
【請求項９】
前記引き出し機構において，前記レール部が前記収容室内側の両側面各々において前記収容器１つに対して上下二段に形成され，下段側の該レール部の上面及び上段側の該レール部の下面の各々に前記収容器の前記上面当接突設部及び前記下面当接突設部の各々が当接してなる請求項３〜７のいずれかに記載の冷蔵庫。
【請求項１０】
前記引き出し規制機構が，
前記収容室側に突設され前記収容器の一部を係止して前記収容器の引き出し方向への動きを規制する引き出し規制部を備え，前記収容器の手前側が持ち上げられることにより前記収容器の前記上面当接突設部若しくは前記下面当接突設部を支点に前記収容器が回動して前記引き出し規制部による前記規制が解除されるものである請求項３〜９のいずれかに記載の冷蔵庫。
【発明の詳細な説明】
【技術分野】
【０００１】
本発明は，被冷却物の収容室内に引出式の収容器を備えた冷蔵庫に関するものである。
【背景技術】
【０００２】
従来，冷蔵庫には，例えば，特許文献１の図２，図５等に示されるように，食品等の被冷却物を収容する収容室内に，引出式の収容ケース（収容器）を備えたものがある。これにより，収容室の収容効率が高まるとともに，前面扉を開閉時の冷気漏れが極力抑えられる。
このような収容ケースは，一般に，手前側（前面側）に引き出された際に，所定位置でその引き出し方向の動きが規制されるようストッパーが設けられる。これにより，収容ケースが引き出された際にその支持レール等から脱落することが防止される。
【特許文献１】特開平１１−１５３３８０号公報
【発明の開示】
【発明が解決しようとする課題】
【０００３】
しかしながら，収容ケースは収容室内側の両側面に設けられた支持レール等により支持されるため，収容ケースは，その奥側（背面側）が収容室内に残った状態でストッパーにより引き出しが規制されることになる。このため，収容ケースの奥部が見えにくい上，収容ケース上側の有効な開口面積（間口）が狭くて被冷却物を出し入れしにくく，利便性が悪いという問題点があった。
これに対し，収容ケースの支持レールとして伸縮式のレール等を採用し，収容ケース全体を収容室の手前側まで水平移動させて引き出せるようにすると，その取り扱いに必要な手前側スペースが増える上，耐久性悪化やコスト上昇の要因となるという問題点があった。
従って，本発明は上記事情に鑑みてなされたものであり，その目的とするところは，ごくシンプルな構成により，手前側の必要スペースを極力増やさず，引出式収容ケースの奥部への被冷却物の出し入れが容易となる冷蔵庫を提供することにある。
【課題を解決するための手段】
【０００４】
上記目的を達成するために本発明は，被冷却物の収容室内に手前側へ引出式の収容器（収容ケース）を備えた冷蔵庫に適用されるものであり，その収容器を所定の基準の姿勢のまま奥行き方向に案内しつつ支持する引き出し機構と，その引き出し機構により支持された前記収容器が所定の停止位置まで引き出された際に，その収容器を前記基準の姿勢よりも手前下方に傾けた状態（以下，手前傾斜状態という）で保持する傾斜保持機構とを具備して構成されるものである。
これにより，収容器が，引き出された状態で手前下方に傾斜して保持されるので，収容器全体が収容室手前まで引き出される状態にしなくても，収容器上側の有効な開口面積（間口）が奥側に広がり，収容器奥部への視界も良好となるので，収容器奥部への被冷却物の出し入れが容易となる。
また，後述するように収容器を手前下方に傾けるためのごくシンプルな構成により実現できる。さらに，収容器全体を収容室の手前側へ引き出す場合に比べ，手前側の必要スペースの増加が少ない。
ここで，前記引き出し機構により支持された前記収容器が引き出された際に前記停止位置に至る前の所定位置でその収容器の引き出し方向への動きを規制するとともに，所定操作によりその規制が解除される引き出し規制機構を設けた構成とすればなお好適である。
これにより，利用者の意識的な操作を経て初めて収容器が前記手前傾斜状態となるので，収容器が予期せず手前に傾いた際に脱落するのではないか，と利用者に誤解されることを防止できる。
【０００５】
より具体的な構成としては以下のような構成が考えられる。
まず，前記引き出し機構としては，前記収容室内側の両側面各々に奥行き方向に伸びて突設され，前記収容器を奥行き方向に案内しつつ支持するレール部と，前記収容器外側の両方の側面各々の奥側の所定位置に突設されて前記レール部に支持される部分（被支持部）であって，前記レール部の上面に当接する上面当接突設部と，それからさらに奥側に間隔を隔てて突設され前記レール部の下面に当接する下面当接突設部とを有する収容器突設部とを有する機構が考えられる。
これにより，収容器及びその収容物（被冷却物）の重みによって生じるモーメント力（トルク）により，前記上面当接突設部及び前記下面当接突設部の各々が，前記レール部の上面及び下面の各々に押圧され，収容器が所定の基準の姿勢で前記レール部に支持される。また，収容器を手前側へ引き出す，或いは奥側へ押し込む操作をすると，前記上面当接突設部及び前記下面当接突設部の各々が，前記レール部の上面及び下面の各々を摺動し，前記基準の姿勢のまま奥行き方向に移動させる（引き出す）ことが可能となる。
このような引き出し機構を設けた場合，他の機構の具体的な構成としては以下のようなものが考えられる。
【０００６】
例えば，前記傾斜保持機構としては，上記のような引き出し機構を有する場合に，前記レール部の手前側端部付近の上面に手前下方に向けて傾斜して形成され前記収容器の前記上面当接突設部を摺動させる上面傾斜部，或いは前記レール部における手前側端部付近から前記収容器の前記上面当接突設部及び前記下面当接突設部の奥行き方向の間隔分だけ奥側の位置の下面に手前上方に向けて傾斜して形成され前記収容器の前記下面当接突設部を摺動させる下面傾斜部のうちの一方又は両方と，さらに，前記レール部の一部に形成され，引き出された前記収容器が，前記上面傾斜部に対して前記上面当接突設部が摺動することや前記下面傾斜部に対して前記下面当接突設部が摺動することによって前記手前傾斜状態となった状態で，前記上面当接突設部及び前記下面当接突設部の一方若しくは両方を係止することにより前記収容器を前記手前傾斜状態で保持する係止保持部と，を有するもの等が考えられる。
ここで，前記係止保持部としては，前記レール部における前記上面傾斜部の手前側に設けられ前記上面当接突設部を係止して保持する部分（上面係止保持部）や，前記レール部における前記下面傾斜部の手前側に設けられ前記下面当接突設部を係止して保持する部分（下面係止保持部）等が考えられる。
これにより，収容器が引き出された際に，収容器の前記上面当接突設部や前記下面当接突設部が前記上面傾斜部や前記下面傾斜部を摺動しつつ収容器が徐々に傾き，最終的に前記上面当接突設部や前記下面当接突設部が前記係止保持部に係止され，収容器が前記手前傾斜状態に保持される状態となる。
このように，傾斜面や係止部（係止保持部）が形成された前記レール部を設けるというごく簡単な構成で，前記傾斜保持機構を実現できる。
さらにこの場合，前記レール保持機構の構成要素として，前記収容室内側の両側面各々に突設されたものであって，前記収容器が前記手前傾斜状態で保持される状態においてその収容器の荷重の一部を受ける補助支持部を設ければ，収容器の荷重を分散支持できるので，局部的に大きな力が加わる収容器の各支持部（即ち，前記レール部における前記上面係止保持部や前記下面係止保持部，或いは収容器における前記上面当接突設部や前記下面当接突設部）が破損することを防止できる。
特に，前記補助支持部を，前記手前傾斜状態にある前記収容器の前記上面当接突設部よりも手前側でその収容器の荷重の一部を受けるものとすれば，上述の各支持部に加わるトルクが緩和される点で好適である。
【０００７】
一方，収容器の引き出し機構が，前記収容室内側の両側面各々に奥行き方向に伸びて突設され前記収容器を奥行き方向に案内しつつ支持するレール部と，前記収容器外側の両側面各々の奥側の所定位置に突設され前記レール部に支持される部分であって，前記レール部の上面に当接する部分び前記レール部の下面に当接する下面当接突設部とを有して構成され，さらに，収容器の傾斜保持機構が，前記レール部に設けられ前記収容器の前記下面当接突設部を係止して該収容器を前記手前傾斜状態で保持する下面係止保持部と，前記下面係止保持部よりも手前側において前記収容室内側の両側面各々に突設され前記収容器の一部に形成された所定の被支持部を支えることにより該収容器を前記手前傾斜状態で保持する傾斜収容器支持部と，を有するとともに，当該冷蔵庫を側面側から見た場合に，前記傾斜収容器支持部における前記被支持部に対する接触部から該接触部の表面に加わる前記収容器の荷重による押圧力の方向（傾斜収容器支持部の支持面に垂直な方向，或いはその支持面が曲面である場合にはその支持面に加わる力の合力（押圧力）の方向）に対して直角の方向に伸ばした直線よりも前記下面係止保持部による前記下面当接突設部の係止位置が上側となるよう構成されたものが考えられる。この場合，前記レール部の上面に当接する部分に上面当接突設部を設け，前記傾斜収容器支持部が，前記手前傾斜状態にある前記収容器における前記上面当接突設部の位置よりも手前側に設けられたものであれば，前記下面係止保持部に加わるトルクが緩和される点で好適である。
【０００８】
また，前記レール部における前記下面係止保持部の奥側の下面に，前記手前傾斜状態にある前記収容器における前記下面当接突設部の奥側上方への動きを規制する曲面部（例えば，屈曲面や湾曲面が形成された部分）が形成されたものであればなお好適である。この曲面部は，後述するように，前記手前傾斜状態にある収容器を奥側へ戻す方向に作用する力に抗する部分となり，前記手前傾斜状態にある収容器を安定させることができる。
【０００９】
また，前記引き出し機構のより具体的な構成としては，例えば，前記レール部が前記収容室内側の両側面各々において前記収容器１つに対して一段に形成され，その一段の前記レール部における上面及び下面の各々に前記収容器の前記上面当接突設部及び前記下面当接突設部各々が当接するよう構成されたものが考えられる。
また，他の構成例としては，前記レール部が前記収容室内側の両側面各々において前記収容器１つに対して上下二段に形成され，下段側のレール部の上面及び上段側のレール部の下面の各々に前記収容器の前記上面当接部及び前記下面当接部の各々が当接するよう構成されたものが考えられる。
なお，この二段構成のレール部を採用する場合，前記上面傾斜部は下段側のレール部の上面に形成され，前記下面傾斜部は上段側のレール部の下面に形成されることはいうまでもない。
また，前記引き出し規制機構としては，前記収容室側に突設され，前記収容器の一部を係止して前記収容器の引き出し方向への動きを規制する引き出し規制部を設け，前記収容器の手前側が持ち上げられることにより前記収容器の前記上面当接突設部若しくは前記下面当接突設部を支点に前記収容器が回動することによって前記引き出し規制部による前記規制が解除される機構が考えられる。これにより，ごくシンプルな構成で実現できる。
【００１０】
一方，本発明における収容器及び各機構（前記収容器とこれに対応する前記引き出し機構及び前記傾斜保持機構）は，前記収容室内の上下方向に複数段に並べて設けられた構成で適用されると，特に好適である。このように，上下複数段に収容器が配列されると，下段側の収容器の奥部が，上段側の収容器の存在によって見えにくく，また，その奥部に物を出し入れし辛くなるからである。
ところで，冷蔵庫が設置されるキッチン等では，人の腰より高い上側の領域には比較的広い空きスペースがある反面，人の腰より低い下側の領域には他の設置物との関係で空きスペースが狭いことが一般的である。
そこで，当該冷蔵庫が，これを上下に分割した上側の領域に形成された第１の収容室と，その下側の領域をさらに左右に分割した領域各々に形成された第２の収容室及び第３の収容室と，それら収容室各々の前面を個別に開閉する開閉扉とを備える場合に，本発明における前記収容器及び各機構は，前記第２の収容室及び前記第３の収容室の一方又は両方に設けられた構成で適用されると，特に好適である。
これにより，下側の収容室（第２，第３の収容室）に，左右分割によって回動範囲（手前側の必要スペース）が狭くなるよう構成された開閉扉（幅の狭い開閉扉）とともに，本発明における収容器及び各機構を採用することにより，下側領域において特に手前側の必要スペースが小さい冷蔵庫を提供することができる。
【発明の効果】
【００１１】
本発明によれば，ごくシンプルな構成により，手前側の必要スペースを極力増やさず，引出式収容ケースの奥部への被冷却物の出し入れが容易となる冷蔵庫を提供することができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る冷蔵庫Ａのドアを開いた状態の正面図，図２は冷蔵庫Ａが備える野菜室の側断面図，図３は冷蔵庫Ａが備える収容ケース支持機構Ｘの構成要素を表す図，図４は冷蔵庫Ａにおいて収容ケースを引き出した状態を表す断面図，図５は収容ケース支持機構Ｘの構造を表す側面透視図，図６は収容ケースが中間停止位置で基準姿勢にあるときの収容ケース支持機構Ｘの状態を表す側面図，図７は収容ケースが中間停止位置でその手前側が持ち上げられたときの収容ケース支持機構Ｘの状態を表す側面図，図８は収容ケースが手前下方に傾斜した状態にあるときの収容ケース支持機構Ｘの状態を表す側面図，図９は収容ケース支持機構Ｘから上面係止保持部を除いた支持機構において収容ケースが手前下方に傾斜時に作用する力をベクトル表記した図，図１０は収容ケース支持機構Ｘから補助支持部を除いた支持機構において収容ケースが手前下方に傾斜時に作用する力をベクトル表記した図，図１１は本発明の実施例に係る収容ケース支持機構Ｘ’の構成を表す側面透視図である。
【００１３】
本発明の実施形態に係る冷蔵庫Ａは，食品等の被冷却物の収容室内に手前側へ引出式の収容ケースを備えるものであり，その収容ケースの支持機構Ｘに特徴を有するものである。
まず，図１の正面図及び図２の側断面図を用いて，冷蔵庫Ａの全体構成の概要について説明する。
図１に示すように，冷蔵庫Ａは，その内部に４つの収容室２〜５が形成されている。即ち，冷蔵庫Ａ全体を上下に分割した上側の領域に形成された冷蔵室２（第１の収容室の一例）と，その下側の領域をさらに左右に分割した領域の一方（左側）に形成された野菜室３（第２の収容室の一例）と，その他方（右側）に形成された製氷室４及び冷凍室５（第３の収容室の一例）とが形成されており，それら収容室２〜５各々の前面を個別に開閉するドア２ａ，３ａ，４ａ，５ａが略水平方向に回動自在に設けられている。各収容室２〜５は，手前側（前面側）を除く残りの５方向（上下，左右，奥）が隔壁１で仕切られている。
このように，下側の収容室３〜５は，左右分割されているため，その前面のドア３ａ，４ａ，５ａは，上側の冷蔵室２のドア２ａに比べて幅が狭く，人の腰の高さより低い下側領域において，手前側（前面側）の必要スペースが小さくて済む構成となっている。
【００１４】
そして，下側に設けられた野菜室３，製氷室４及び冷凍室５の内部には，手前側へ引き出し可能な引出式の収容ケース１０が設けられている。
ここで，野菜室３及び冷凍室５の各々には，収容ケース１０と，これを手前側に引き出し可能に支持するとともに，収容ケース１０を手前下方へ傾かせることができる収容ケース支持機構Ｘとが，上下方向に３段に並べて設けられている。
図４は，野菜室３における収容ケース１０が引き出された状態を表す側断面図であり，収容ケース１０が，その底面がほぼ水平となる姿勢（以下，基準姿勢という）にある状態を破線で表し，その基本姿勢よりも手前下方（図４における左下方向）に傾いた状態（以下，手前傾斜状態という）を実線で表したものである。
このように，収容ケース支持機構Ｘは，収容ケース１０を，前記基準姿勢のまま手前に引き出し可能とするとともに，最も手前に引き出された収容ケース１０を，前記手前傾斜状態で保持可能とすることを特徴としている。
図２及び図４は，野菜室３における収容ケース１０とその支持機構Ｘとを示すが，冷凍室５においても同様である。
また，図１に示すように野菜室３は，その高さが冷蔵庫Ａの全高のほぼ２分の１程度に形成されており，さらに，その内部に設けられた下２段の収容ケース１０の高さ（深さ）が最上段の収容ケース１０の高さよりも高く形成されているため，野菜室３内の下２段の各収容ケース１０は，他に比べて特に深い（背が高い）ものとなっている。これにより，白菜等の大型の野菜を無理なく収容できる。
【００１５】
さらに，図１及び図２（野菜室３の側断面）に示すように，野菜室３のドア３ａの内側には，主としてネギやゴボウ等の縦長の野菜（以下，縦野菜という）が収容される縦野菜ケース６が，ドア３ａを開いたときに手前側となる位置（ドア３ａの回動端に近い位置）に設けられている。このような位置に縦野菜ケース６を設けるのは，ドア３ａを約９０°しか開かない状態であっても，収容ケース１０を縦野菜ケース６と干渉せずに引き出せる範囲をできるだけ広くとるためである。
また，縦野菜ケース６は，ドア３ａの内側面において，そのドア３ａの上部に収容部を設けない領域を空けた下側に設けられている。さらに，縦野菜ケース６は，その上側に特に長い縦野菜を出し入れするための開口部６ａが設けられ，野菜室３側の面の上側約半分の領域には，比較的短い縦野菜を出し入れするための窓６ａ（開口部）が設けられている。
図２に示すように，野菜室３において，下２段の収容ケース１０は，その前面（手前の面）が，縦野菜ケース６と干渉しないようやや奥側となるよう設けられ，一方，縦野菜ケース６と干渉しない最上段の収容ケース１０は，その前面が，ドア３ａが閉じられたときに縦野菜ケース６の上側の空間に収まる範囲で，他の下２段の収容ケース１０よりも手前側（前面側）に突出するよう設けられている。これにより，野菜室３の収容効率が高められている。
【００１６】
次に，図３の側面図を用いて，野菜室２に設けられた収容ケース支持機構Ｘを例として，その構成要素について説明する。ここで，図３（ａ）は，収容ケース支持機構Ｘのうち，野菜室３内側における左右両側各々の隔壁１の面（以下，野菜室３の側面１という）に設けられた構成要素を表し，図３（ｂ）は，収容ケース支持機構Ｘのうち，収容ケース１０外側の両側面に設けられた構成要素を表す。
図３に示すように，収容ケース支持機構Ｘは，野菜室３の両側面１各々において，奥行き方向（図３における左右方向）に伸びて突設され，収容ケース１０を奥行き方向に案内しつつ支持する本体レール部２０を備えている。
この本体レール部２０は，例えば，一体成型されたプラスチック部材や樹脂部材等により構成される。
一方，収容ケース１０外側の両側面各々においては，その奥側（図３における右側）の所定位置に突設されて本体レール部２０に支持される部分であり，本体レール部２０の上面に当接する上面当接突設部４１と，その上面当接突設部４１からさらに奥側かつ下側に間隔を隔てて突設され，本体レール部２０の下面に当接する下面当接突設部５１とを備えている（これらが，収容器突設部の一例）。
例えば，図３（ｂ）に示すように，下面当接突設部５１は，収容ケース１０の最も奥側付近に設けられ，これから手前方向に数ｃｍ〜十数ｃｍ程度（例えば，７〜８ｃｍ程度）の間隔Ｌを隔てた位置に上面当接突設部４１が設けられる。
また，図３（ｂ）に示す例では，上面当接突設部４１は，収容ケース１０の側面に，奥行き方向に伸びて突設された上側リブ４０の一部として形成され，さらにマス目状のリブにより補強されている。同様に，下面当接突設部５１は，上側リブ４０の下側にこれとほぼ平行に伸びて突設された下側リブ５０の一部として形成され，マス目状のリブにより補強されている。これにより，各リブ４０，５０全体として各突設部４１，５１の強度が確保されている。各リブ４０，５０は，例えば，収容ケース１０とともに一体成型されたプラスチック部材や樹脂部材等により構成される。
これら本体レール部２０，上面当接突設部４１及び下面当接突設部５１により，収容ケース１０を奥行き方向に案内しつつ引き出し可能に支持する引き出し機構が構成されている。
即ち，本体レール部２０が上面当接突設部４１及び下面当接突設部５１の間に挟まれた状態で，収容ケース１０及びその収容物（被冷却物）の重みによって生じるトルクにより，上面当接突設部４１及び下面当接突設部５１の各々が，本体レール部２０の上面及び下面の各々に押圧され，収容ケース１０が前記基準姿勢（底面がほぼ水平となる姿勢）で本体レール部２０に支持される。
【００１７】
また，収容ケース１０を，その前面に設けられた取手部１１を持って手前側へ引き出す，或いは奥側へ押し込む操作をすると，上面当接突設部４１及び下面当接突設部５１の各々が，本体レール部２０における奥側から所定の上面側水平移動範囲２１ａ及び下面側水平移動範囲２１ｂの各々を摺動し，前記基準姿勢のまま奥行き方向に移動させる（引き出す）ことが可能となる。
ここで，下側リブ５０の手前側の部分５２は，収容ケース１０の手前側が持ち上げられた際に本体レール２０に当たることにより，収容ケース１０の揺動範囲の規制部としての機能を果たす。
また，本体レール部２０の下面には，下方へ突設された引き出し規制部２２が形成されている。この引き出し規制部２２は，本体レール部２０，上面当接突設部４１及び下面当接突設部５１（引き出し機構）により支持された収容ケース１０が引き出された際に，前記手前傾斜常置で保持される停止位置に至る前の位置において，収容器ケース１０の引き出し方向（手前方向）への動きを規制するとともに，収容ケース１０の手前側を持ち上げる操作によってその規制が解除される引き出し規制機構を構成するものである。その詳細については後述する。
【００１８】
また，本体レール部２０の手前側の端部付近には，その上面に手前下方（図３における左下方向）に向けて傾斜して形成された部分２５（以下，上面傾斜部２５という）と，その上面傾斜部２５の手前側において収容ケース１０の上面当接突設部４１を係止することにより，収容ケース１０を前記基準姿勢よりも手前下方へ傾けた前記手前傾斜状態（図４の実線で描かれた収容ケース１０を参照）で保持する部分２３（以下，上面係止保持部２３という）とが形成されている。ここで，上面傾斜部２５は収容ケース１０の上面当接突設部４１を摺動させる部分となる。
さらに，本体レール部２０における上面傾斜部２５（手前側端部付近）から収容ケース１０の上面当接突設部４１及び下面当接突設部５１の間隔Ｌ分だけ奥側の位置の下面には，手前上方（図３において左上方向）に向けて傾斜して形成された部分２６（以下，下面傾斜部２６という）と，その下面傾斜部２６の手前側において収容ケース１０の下面当接突設部５１を係止することにより，収容ケース１０を前記手前傾斜状態で保持する部分２４（以下，下面係止保持部２４という）とが形成されている。ここで，下面傾斜部２６は，収容ケース１０の下面当接突設部５１を摺動させる部分となる。
これら，両傾斜部２５，２６及び両係止保持部２３，２４により，本体レール部２０により支持された収容ケースが後述する第２の停止位置まで引き出された際に，収容ケース１０を前記手前傾斜状態で保持する傾斜保持機構が構成されている。
なお，上面傾斜部２５及び上面係止保持部２３，或いは下面傾斜部２６及び下面係止保持部２４のいずれか１組のみによっても，傾斜保持機構としての機能は果たせる。
また，図３（ａ）に示すように，本体レール部２０における下面係止保持部２４の奥側の下面（図３（ａ）の例では，下面傾斜部２６の手前側に連なる部分）に，前記手前傾斜状態にある収容ケース１０における前記下面当接突設部５１の奥側上方への動きを規制する屈曲面部２７（曲面部の一例）が形成されている。これについては後述する。
【００１９】
図５は，収容ケース支持機構Ｘにおける野菜室３の側面１側の要素と収容ケース１０側の要素とが組み合わされた構造を表す側面透視図であり，実線は収容ケース１０が所定の第２の停止位置において前記手前傾斜状態にあるときの収容ケース支持機構Ｘの状態を表し，破線は収容ケース１０が所定の第１の停止位置において前記基準姿勢にあるときのその収容ケース１０側の支持機構Ｘ（即ち，前記上側リブ４０及び前記下側リブ５０）の状態を表す。
ここで，第１の停止位置は，収容ケース１０が前記基準姿勢の状態から前記手前傾斜状態へ移行し始める直前の位置であり，第２の停止位置は，収容ケース１０が前記手前傾斜状態で保持される位置である。
以下，図５に示す収容ケース支持機構Ｘにおける主要部のみを抽出して表した図６〜図８を用いて，収容ケース１０がその取手部１１を持って操作された際の収容ケース支持機構Ｘによる収容ケース１０の傾斜保持機能について説明する。
【００２０】
収容ケース１０が取手部１１の操作により奥側から手前側へ引き出されると，前述したように，収容ケース１０側の上面当接突設部４１及び下面当接突設部５１の各々が，側面１側の本体レール部２０における上面側水平移動範囲２１ａ及び下面側水平移動範囲２１ｂの各々を摺動し，前記基準姿勢のまま手前方向に移動して引き出される。
ここで，図６に示すように，本体レール部２０の下面（即ち，収容室側）に突設された前記引き出し規制部２２が存在するので，これが前記第１の停止位置に到達した収容ケース１０の下面当接突設部５１を係止し，前記基準姿勢にある収容ケース１０の引き出し方向（手前方向）への動きが規制される（引き出し規制機構の一例）。
この状態で，収容ケース１０の手前側に設けられた取手部１１（図３参照）を持ち上げる操作が行われると，図７に示すように，収容ケース１０の上面当接突設部４１を支点に下面当接突設部５１が下側へ回動し（収容ケース１０全体が回動），これによって引き出し規制部２２による引き出し方向の規制が解除され，さらに手前に引き出すことが可能となる。
これにより，利用者の意識的な持ち上げ操作を経て初めて，収容ケース１０が図８に示すような前記手前傾斜状態となるので，収容ケース１０が予期せず傾いて脱落するのではないか，と利用者に誤解されることを防止できる。
【００２１】
次に，図７の状態からさらに収容ケース１０が引き出されると，収容ケース１０の上面当接突設部４１及び下面当接突設部５１の各々が，本体レール部２０の上面傾斜部２５及び下面傾斜部２６各々を摺動しながら収容ケース１０が手前下方へ徐々に傾く。
そして，最終的には，図８に示すように，前記第２の停止位置に到達した収容ケース１０の上面当接突設部４１及び下面当接突設部５１各々が，本体レール部２０に設けられた前述の上面係止保持部２３及び下面係止保持部２４各々により係止され，収容ケース１０が前記手前傾斜状態に保持される状態となる。
ここで，野菜室３の左右両側面１（収容室内側の両側面）には，支持部３０（補助支持部の一例）が突設されており，この支持部３０が，収容ケース１０の側面に突設された被支持部５３に当接し，前記手前傾斜状態で保持される収容ケース１０の荷重の一部を受ける。
これにより，収容ケース１０の荷重が分散支持されるので，局部的に大きな力が加わる各支持部（上面係止保持部２３や下面係止保持部２４，或いは上面当接突設部４１や下面当接突設部５１）が破損することを防止できる。
特に，図８に示すように，支持部３０（補助支持部の一例）を，前記手前傾斜状態にある収容ケース１０の上面当接突設部４１よりも手前側に配置して収容ケース１０の荷重の一部を受ける構造とすれば，上述の各支持部に加わるトルクが緩和される点で好適である。
例えば，図８の状態において支持部３０を設けないとすると，上面係止保持部２３や上面当接突設部４１各々には，それをねじるような大きな力（トルク）が加わり，各部２３，４１が破損しやすくなる。これに対し，上面当接突設部４１よりも手前側の支持部３０で収容ケース１０の荷重の一部を受けることにより，上述のトルクが格段に緩和され，上面係止保持部２３や上面当接突設部４１が破損しにくくなる。
【００２２】
次に，図９及び図１０を用いて，収容ケース１０の荷重により，収容ケース支持機構Ｘに作用する力について説明する。ここで，図９は，収容ケース支持機構Ｘから前記上面係止保持部２３を除いた支持機構により収容ケース１０を前記手前傾斜状態で保持したときの主要２点Ｑ１，Ｑ２にのみ作用すると仮定したときの力をベクトル表示（Ｐ１，Ｐ２，Ｍ１，Ｍ２，Ｓ１，Ｓ２）した図であり，図１０は，収容ケース支持機構Ｘから前記支持部３０を除いた支持機構により収容ケース１０を前記手前傾斜状態で保持したときの主要２点Ｑ３，Ｑ２にのみ作用すると仮定したときの力をベクトル表示（Ｐ３，Ｐ４，Ｍ３，Ｍ４，Ｓ３，Ｓ４）した図である。
ここで，点Ｑ１は，収容ケース１０が前記手前傾斜状態にある状況において，支持部３０に対して収容ケース１０の被支持部５３から力が作用する点，点Ｑ２は，本体レール部２０の下面側に対して収容ケース１０の下面当接突設部５１から力が作用する点，点Ｑ３は，本体レール部２０の上面側に対して収容ケース１０の上面当接突設部４１から力が作用する点である。また，図中，Ｇは所定重量の被冷却物が収容された収容ケース１０の重心位置，Ｗは収容ケース１０の荷重ベクトルを表す。
また，Ｍ１は，Ｑ２を回転中心としたときのＷに対応する回転モーメント力（トルク）であり，Ｍ２はＱ１を回転中心としたときのＷに対応する回転モーメント力である。なお，このとき点Ｑ３において，上面当接突設部４１と上面傾斜部２５とは接していないと仮定している。
また，Ｍ３は，Ｑ２を回転中心としたときのＷに対応する回転モーメント力（トルク）であり，Ｍ４はＱ３を回転中心としたときのＷに対応する回転モーメント力である。ここで，本来は，各点Ｑ１〜Ｑ３付近の面当たりによる分布荷重の合力によりつり合うものであるが，便宜上，上述のように仮定している。
また，図９，図１０において，Ｗのベクトル長さに対するＭ１〜Ｍ４のベクトル長さの比は，実際の値（力）の比に合わせて描くと作図上見辛くなるため，便宜上，実際の値の比とは異なる比（ベクトル長さの比）で描いている。
さらに，Ｐ１〜Ｐ４は，各点Ｑ１〜Ｑ４における当接面に垂直な方向に作用する力（以下，当接力という）のベクトルを表す。
また，Ｓ１〜Ｓ４は，各点Ｑ１〜Ｑ４における当接面に平行な方向に作用する力（以下，滑り力という）のベクトルを表す。
また，Ｍ１及びＭ２とＭ３及びＭ４は，点Ｑ１・Ｑ２を通る直線と点Ｑ３・Ｑ２を通る直線との各々に垂直な方向に作用するトルクのベクトルを表す。
【００２３】
図９に示すように，支持部３０を設けて収容ケース１０を３点（Ｑ１〜Ｑ３）支持する構成とすると，各点Ｑ１〜Ｑ２に力が分散することにより，点Ｑ２における回転トルクＰ２が比較的小さくなる。その結果，たとえ上面係止保持部２３（図８等参照）を設けなくても，前記下面係止保持部２４に加わるねじり力が抑えられる上，下面係止保持部２４は，その手前側（図に向かって左側）に比較的大きな領域の補強部分（先端部分）を確保できるので，下面係止保持部２４が破損しにくい構造となる。これは，収容ケース１０を点Ｑ３で支持する構造がなくても，点Ｑ１及び点Ｑ２での支持により，十分に収容ケース１０の荷重を支えることができることを意味する。また，支持部３０を，開閉される扉と干渉しない範囲でより手前側（図に向かって左側）に設け，点Ｑ１−Ｑ２間の距離をより長くとることが好適である。これにより，モーメント力Ｍ１，Ｍ２をより小さくできる。
なお，図９の二点鎖線の枠内に示すように，点Ｑ１の部分において，支持部３０とこれに接する被支持部５３との一方に凸部を，他方にその凸分を嵌合させる凹部を設け，収容ケース１０が前記手前傾斜状態となった際にそれらが嵌合する構造とすることにより，点Ｑ１が回転モーメント力の中心となる構造としてより安定した構造となる。図９の二点鎖線の枠内に示す例は，支持部３０にほぼ半球状の溝部３０ｐを，被支持部５３にその溝部３０ｐに嵌合するほぼ半球状の隆起部５３ｐを設けた例である。また，この凹凸関係を逆にした構成であっても同様の作用効果が得られる。
一方，図１０に示すように，支持部３０（図９等参照）を設けずに，収容ケース１０を２点（Ｑ３，Ｑ２）支持する構成とすると，その２点に力が集中することにより，点Ｑ３，Ｑ２のいずれにおいても，回転トルクＭ３，Ｍ４が大きくなる。このことは，構造上，点Ｑ３の位置をあまり手前側に設定することができず，点Ｑ２−Ｑ３間の距離をあまり長くとれないことからより顕著となる。その結果，上面係止保持部２３及び下面係止保持部２４の各々に加わるねじり力が大きくなり，それらが破損しやすい構造となる。特に，上面係止保持部２３については，前記上面傾斜部２５を形成するために比較的細い（小さい）部分となりがちであるので，より破損しやすい構造となる。このことから，支持部３０を設けることの有効性がわかる。
【００２４】
また，図１０に示すように，２点Ｑ３，Ｑ２支持の場合，点Ｑ２において，その当接面に沿う奥側向きに比較的大きな前記滑り力Ｓ４が作用することがわかる。これは，前記手前傾斜状態にある収容ケース１０を奥側へ軽く押しただけで，その収容ケース１０が奥側へ後退しやすく不安定な状態であることを表す。この点，本実施形態では，本体レール部２０の下面に，手前傾斜状態にある収容ケース１０における下面当接突設部５１の奥側上方への動きを規制する屈曲面部２７が形成されているので，滑り力が抑えられ，収容ケース１０が安定する。
一方，図９に示す３点支持においても，点Ｑ２における手前側向きの滑り力Ｓ２はごく小さいので，２点支持の場合ほどではないものの，比較的収容ケース１０は不安定である。よって，屈曲面部２７を有することにより同様の作用効果が得られる。また，図９の二点鎖線枠内に示したのと同様に，屈曲面部２７と下面当接突設部５１との一方に凸部，他方に凹部を設け，これらが嵌合する構造とすれば，より安定して好適である。
【００２５】
さらに，点Ｑ２を回転中心としたときの加重Ｗに対応するモーメント力（トルク）Ｍ１，Ｍ２を受ける面が，図９や図１０に示すように平面である場合は，点Ｑ１とＱ２とを結ぶ直線上に沿ってその受ける面を支持部３０や収容ケース１０の対応する部分（例えば，下側リブ５０）に設けたり，同様に，点Ｑ２とＱ３とを結ぶ直線に沿ってその受ける面を前記上面傾斜部２５や収容ケース１０の対応する部分（例えば，上面当接突設部４１）に設けると，回転モーメント力Ｍ１やＭ３は，前述の各々の受ける面に垂直に作用するため，Ｍ１＝Ｐ１及びＳ１＝０（図９の場合），或いはＭ３＝Ｐ３及びＳ３＝０（図１０の場合）となる。このため，下面係止保持部２４さえ設けられていれば，点Ｑ２や点Ｑ３の部分に，収容ケース１０の手前側への滑りを止めるための突起（例えば，上面係止保持部２３）を省いても，収容ケース１０を前記手前傾斜状態で保持する上で特に問題はない。
従って，収容ケース支持機構としては，以下のような構成も考えられる。
即ち，収容ケース１０の引き出し機構として，図３に示したように，本体レール部２０の上面と下面とをガイドとして収容ケース１０を前後方向に略水平に移動できるよう，収容室内側の両側面（野菜室３の左右両側面１）各々に奥行き方向に伸びて突設され，収容ケース１０を奥行き方向に案内しつつ支持する本体レール部２０と，収容ケース１０外側の両側面各々の奥側の所定位置に，前記本体レール部２０に支持される部分であって，その本体レール部２０の上面に当接する上面当接突設部４１及び本体レール部２０の下面に当接する下面当接突設部５１を設ける。
【００２６】
さらに，収容ケース１０を前記手前傾斜状態に保持する機構として，本体レール部２０に，収容ケース１０の前記下面当接突設部５１を係止してその収容ケース１０を前記手前傾斜状態で保持する下面係止保持部２４を設けるとともに，その下面係止保持部２４よりも手前側において，収容室内側の両側面各々に，収容ケース１０の一部に形成された所定の被支持部５３を支えることによって収容ケース１０を前記手前傾斜状態で保持する支持部３０（傾斜収容器支持部の一例）を設ける。ここで，当該冷蔵庫Ｘを側面側から見た場合に，支持部３０における被支持部５３に対する接触部（支持部３０の上面（点Ｑ１の部分））からその接触部の表面に加わる収容ケース１０の荷重による押圧力の方向（図９に示す構成の場合は，支持部３０の上面に対する垂線方向（押圧力Ｐ１の方向））に対して直角の方向に伸ばした直線（図９における直線Ｌ１）よりも，下面係止保持部２４による下面当接突設部５１の係止位置（図９における点Ｑ２の位置）が上側となるよう構成することが望ましい。これにより，支持部３０の上面（接触部）において作用する滑り力Ｓ１は，図９に示すように奥側方向への滑り力となる。このため，比較的頑丈に設けられる本体レール部２０の屈曲面部２７や，図９に示した溝部３０ｐと隆起部５３ｐとの嵌合機構によってその滑り力Ｓ１を支えることができ，高強度の収容ケース支持機構を構成できる。
【００２７】
また，図９に示す例は，支持部３０と被支持部５３との接触部（支持面）は，当該冷蔵庫の側面側から見て直線状であるが，それらが相互に嵌合する状態で当接する凹凸関係の構造（例えば，冷蔵庫側面側から見て支持部３０の上面（支持面）が上に凸の円弧形状を有し，被支持部５３の下面がその円弧形状に沿う凹形状を有する構造など）であるときは，力Ｍ１による凹凸面の各部での垂直分布荷重の合力の方向が，押圧力Ｐ１の方向となる。
また，前記上面係止保持部２３を設けない場合，即ち，前記上面当接突設部４１との係合機構を設けない場合は，上面当接突設部４１は，図３等に示したように，上側リブ４０から下側に突出した構造としなくても，その突出した部分を有さない上側リブ４０（収容ケース１０側面に奥行き方向に伸びて突設されたリブ）自体を，以上示した上面当接突設部４１と同じ機能（本体レール部２０の上面に当接して収容ケース１０を引き出し可能に支持する機能）を果たすものとして構成してもよい。
【００２８】
以上示した収容ケース支持機構Ｘを採用することにより，ごくシンプルな構成によって収容ケース１０の引き出し機構及び前記手前傾斜状態での保持機構を実現できる。また，収容ケース１０全体を収容室の手前側へ引き出す場合に比べ，手前側の必要スペースをあまり増やすことなく，収容ケースの奥部への被冷却物の出し入れが容易となる。
また，収容ケース１０及びその支持機構Ｘ（対応する引き出し機構及び傾斜保持機構）は，図１及び図２に示したように，野菜室３等の収容室内の上下方向に複数段（本実施形態に示す例では３段）に並べて設けられた構成で適用されると特に好適である。このように，上下複数段に収容ケース１０が配列されると，下段側の収容ケースの奥部が，上段側の収容ケースの存在によって見えにくく，また，その奥部に物を出し入れし辛くなるからである。
また，収容ケース１０及びその支持機構Ｘは，図１に示したように，当該冷蔵庫Ａの下側の左右分割した領域に形成された野菜室３や冷蔵室５等の収容室に設けられた構成で適用されると特に好適である。
これにより，左右分割によって回動範囲（手前側の必要スペース）が狭くなるよう構成されたドア３ａ，５ａと併せて，一般に空きスペースが狭い下側領域において特に省スペース化された冷蔵庫を提供できる。
【００２９】
ところで，前述したように，野菜室３のドア３ａの内側には，縦野菜ケース６ａ（収容部）が設けられているため，ドア３ａを約９０°開いた状態で収容ケース１０を引き出すと，収容ケース１０前面と縦野菜ケース６とが干渉し得る。
そこで，前記引き出し規制部２２（図７参照）により構成される引き出し規制機構を，約９０°開かれたドア３ａの内側かつ手前側に設けられた縦野菜ケース６ａに干渉する（当たる）直前の位置で収容ケース１０の動きを規制するよう構成すれば，周囲のスペースが狭くドア３ａを十分に開くことができない状況においても，引き出した収容ケース１０が縦野菜ケース６ａに当たることを防止できる。この場合，引き出し規制部２２は，縦野菜ケース６ａとの干渉防止用と，前記手前傾斜状態へ移行前の一時停止用との各々について個別に設けることや，それらを兼用するもの１組を設けることが考えられる。
【実施例】
【００３０】
本発明を実施する際の具体的構成としては，前述した収容ケース支持機構Ｘの他，図１１に示すような収容ケース支持機構Ｘ’のような実施例も考えられる。
図１１において，収容ケース支持機構Ｘにおける各構成要素と同等の機能を果たす対応する構成要素については，収容ケース支持機構Ｘにおいて用いた符号に’（ダッシュ）を付加した記号を付している。
収容ケース支持機構Ｘ’では，本体レール部２０’が，収容室内側側面に上下にほぼ平行に２段に突設されている。以下，上段側の本体レール部を第１本体レール部２０ａ’といい，下段側の本体レール部を第２本体レール部２０ｂ’という。
そして，収容ケース１０’の側面に突設された上面当接突設部４１’が，第２本体レール部２０ｂ’の上面に当接し，同様に，収容ケース１０’の側面において上面当接突設部４１’よりも奥側（かつ上側）に突設された下面当接突設部５１’が，第１本体レール部２０ａ’の下面に当接することにより，収容ケース１０’が基準姿勢で支持される。また，収容ケース１０’が奥行き方向に引く或いは押されることにより，各突設部４１’，５１’各々が，本体レール部２０’の上面及び下面各々を摺動し，収容ケース１０’が基準姿勢のまま奥行き方向に移動する。
さらに，第２本体レール部２０ｂ’の上面に突設された引き出し規制部２２’が，収容ケース１０’の上面当接突設部４１’を係止してその引き出し方向への動きが規制される。この状態で，収容ケース１０’の手前側が持ち上げられると，下面当接突設部５１’を支点に収容ケース１０’が回動して引き出し規制部２２’による規制が解除され，さらに手前に引き出すことが可能となる。
また，第２本体レール部２０ｂ’の手前側端部付近の上面には，手前下方に向けて傾斜して形成され，上面当接突設部４１’を摺動させる上面傾斜部２５’と，その上面傾斜部２５’の手前側に設けられ，上面当接突設部４１’を係止することにより収容ケース１０’を前記手前傾斜状態で保持する上面係止保持部２３’とが形成されている。
このような構成によっても，収容ケース支持機構Ｘと同様の作用効果を果たす収容ケース支持機構を実現できる。
本構成によれば，本体レール部を２段に設ける必要が生じるものの，前述の収容ケース支持機構Ｘにおける本体レール部２０のように，上面傾斜部２５や下面傾斜部２６を設けるために部分的に細く形成する必要がなく，本体レール部の強度を確保しやすい。
また，前記上面係止保持部２３を前記支持部３０に設けた構造も考えられる。例えば，図９に示した収容ケース支持機構において，支持部３０に被支持部５３を保持する部分として上面係止保持部２３と同様の形状部分を設けた構成が考えられる。この場合，下面係止保持部２４が無い構造としてもよい。
【産業上の利用可能性】
【００３１】
本発明は，冷蔵庫における引出式の収容器に利用可能である。
【図面の簡単な説明】
【００３２】
【図１】本発明の実施形態に係る冷蔵庫Ａのドアを開いた状態の正面図。
【図２】冷蔵庫Ａが備える野菜室の側断面図。
【図３】冷蔵庫Ａが備える収容ケース支持機構Ｘの構成要素を表す図。
【図４】冷蔵庫Ａにおいて収容ケースを引き出した状態を表す断面図。
【図５】収容ケース支持機構Ｘの構造を表す側面透視図。
【図６】収容ケースが中間停止位置で基準姿勢にあるときの収容ケース支持機構Ｘの状態を表す側面図。
【図７】収容ケースが中間停止位置でその手前側が持ち上げられたときの収容ケース支持機構Ｘの状態を表す側面図。
【図８】収容ケースが手前下方に傾斜した状態にあるときの収容ケース支持機構Ｘの状態を表す側面図。
【図９】収容ケース支持機構Ｘから上面係止保持部を除いた支持機構において収容ケースが手前下方に傾斜時に作用する力をベクトル表記した図。
【図１０】収容ケース支持機構Ｘから補助支持部を除いた支持機構において収容ケースが手前下方に傾斜時に作用する力をベクトル表記した図。
【図１１】本発明の実施例に係る収容ケース支持機構Ｘ’の構成を表す側面透視図。
【符号の説明】
【００３３】
Ａ…冷蔵庫
Ｘ…収容ケース支持機構
１…収容室内側の側面（隔壁）
２〜５…収容室（冷蔵室，野菜室，製氷室，冷凍室）
２ａ〜５ａ…ドア
６…縦野菜ケース
１０…収容ケース
１１…取手部
２０…本体レール部
２２…引き出し規制部
２３…上面係止保持部
２４…下面係止保持部
２５…上面傾斜部
２６…下面傾斜部
２７…屈曲面部
３０…支持部
４１…上面当接突設部
５１…下面当接突設部
【図１】
2007046807.tif 000003
【図２】
2007046807.tif 000004
【図３】
2007046807.tif 000005
【図４】
2007046807.tif 000006
【図５】
2007046807.tif 000007
【図６】
2007046807.tif 000008
【図７】
2007046807.tif 000009
【図８】
2007046807.tif 000010
【図９】
2007046807.tif 000011
【図１０】
2007046807.tif 000012
【図１１】
2007046807.tif 000013